(57)【要約】【課題】ガス絶縁機器内で絶縁劣化を起こしている部位を容易に特定することのできる診断装置を提供する。【解決手段】  箱体１と、箱体１を天井隅部の監視室１ｂと遮断器などの収納機器４を収納する主回路室１ａとに仕切るように設けた球面状の透明板からなる球面監視窓２と、監視室１ｂに設けた放電光を観測することのできる回動自在の高感度カメラ５とを備え、部分放電によって発生する放電光を映像として検出し、絶縁劣化個所を特定することを特徴とする。【選択図】  図１
2014071048.tif 000002
【特許請求の範囲】
【請求項１】
箱体と、
前記箱体を天井隅部の監視室と収納機器を収納する主回路室とに仕切るように設けた透明板の球面監視窓と、
前記監視室に設けた放電光を観測する回動自在の高感度カメラと、
を備えたことを特徴とするガス絶縁機器の絶縁劣化診断装置。
【請求項２】
箱体と、
前記箱体を所定面の監視室と収納機器を収納する主回路室とに仕切るように設けた透明板の平面監視窓と、
前記監視室に設けた放電光を観測する移動自在の高感度カメラと、
を備えたことを特徴とするガス絶縁機器の絶縁劣化診断装置。
【請求項３】
前記所定面は、前記箱体の背面であることを特徴とする請求項２に記載のガス絶縁機器の絶縁劣化診断装置。
【請求項４】
前記主回路室の内面に蛍光膜を設けたことを特徴とする請求項１乃至請求項３のいずれか１項に記載のガス絶縁機器の絶縁劣化診断装置。
【請求項５】
前記監視室に乾燥空気を封入したことを特徴とする請求項１乃至請求項４のいずれか１項に記載のガス絶縁機器の絶縁劣化診断装置。
【発明の詳細な説明】
【技術分野】
【０００１】
本発明の実施形態は、ガス絶縁機器内で発生する放電光を検出するガス絶縁機器の絶縁劣化診断装置に関する。
【背景技術】
【０００２】
Ｃ−ＧＩＳのようなガス絶縁機器においては、健全に運転を継続するため、部分放電を測定し、絶縁劣化診断が行われている。部分放電の測定には、接地線に流れるパルス電流を測定するものが知られている（例えば、特許文献１参照）。また、容器内の異物が電界によって移動し、主回路導体などに接触したときに発光する放電光を検出するものが知られている。放電光は、容器にのぞき窓を設け、容器外から観測するものである。（例えば、特許文献２参照）。
【０００３】
しかしながら、接地線のパルス電流を測定するものでは、盤全体での絶縁劣化を検出することができるものの、絶縁劣化を起こしている収納機器を特定することができなかった。また、放電光を観測するものでは、のぞき窓を設けた限られた部分だけしか観測することができなかった。
【先行技術文献】
【特許文献】
【０００４】
【特許文献１】特開平９−５３８６号公報
【特許文献２】特開平１０−２０１０５９号公報
【発明の概要】
【発明が解決しようとする課題】
【０００５】
本発明が解決しようとする課題は、ガス絶縁機器内で絶縁劣化を起こしている部位を容易に特定することのできるガス絶縁機器の絶縁劣化診断装置を提供することにある。
【課題を解決するための手段】
【０００６】
上記課題を解決するために、実施形態のガス絶縁機器の絶縁劣化診断装置は、箱体と、前記箱体を天井隅部の監視室と収納機器を収納する主回路室とに仕切るように設けた透明板の球面監視窓と、前記監視室に設けた放電光を観測する回動自在の高感度カメラと、を備えたことを特徴とする。
【図面の簡単な説明】
【０００７】
【図１】本発明の実施例１に係るガス絶縁機器の絶縁劣化診断装置の構成を示す側面図。
【図２】本発明の実施例２に係るガス絶縁機器の絶縁劣化診断装置の構成を示す側面図。
【図３】本発明の実施例３に係るガス絶縁機器の絶縁劣化診断装置の構成を示す側面図。
【発明を実施するための形態】
【０００８】
本発明の実施形態は、高感度カメラによりガス絶縁機器内を観測し、絶縁劣化個所を容易に特定することである。以下、図面を参照して本発明の実施例を説明する。
【実施例１】
【０００９】
先ず、本発明の実施例１に係るガス絶縁機器の絶縁劣化診断装置を図１を参照して説明する。図１は、本発明の実施例１に係るガス絶縁機器の絶縁劣化診断装置の構成を示す側面図である。
【００１０】
図１に示すように、鋼板で構成された四角体状の箱体１には、天井隅部にアクリル樹脂、石英ガラスのような透明板で構成された球面状の球面監視窓２が設けられている。球面監視窓２を境とし、絶縁ガスを所定圧力で封入した主回路室１ａと乾燥空気を略大気圧で封入した監視室１ｂとに、気密を保って仕切られている。球面監視窓２は、主回路室１ａ側に突出し、耐圧力構造となっている。監視室１ｂには、断面Ｌ字状のカバー３が箱体１に固定されている。監視室１ｂは、箱体１の一部を切り欠いたようなものであり、カバー３により主回路室１ａと同様に暗室となる。
【００１１】
主回路室１ａには、遮断器や断路器のような収納機器４が収納されている。監視室１ｂには、光電子倍増管を用いたフォトマル、光電面にシリコンを用いたＣＣＤ検出器などのような微弱な光を観測できる高感度カメラ５が回動自在に設けられている。高感度カメラ５は、カバー３側の所定点を支点として回動し、主回路室１ａの下部から上部までを観測できるようになっている。なお、高感度カメラ５には、箱体１外に図示しない観測装置が接続される。
【００１２】
これにより、高感度カメラ５を箱体１外から定期的に動作させて、主回路室１ａ内の絶縁劣化診断をすることができる。収納機器４のＡ点で部分放電が発生した場合、微弱な放電光であっても外部に光が出れば、それを映像として検出することができ、発生場所を容易に特定することができる。放電光には、主回路導体の接触不良による放電、絶縁物の沿面放電などがある。放電光の輝度を求めることにより、絶縁劣化の進展度を判定することができ、絶縁破壊を未然に防ぐことができる。なお、高感度カメラ５は、カバー３を取外し監視室１ｂを開放することにより、主回路室１ａに影響を与えずチェックすることができる。
【００１３】
上記実施例１のガス絶縁機器の絶縁劣化診断装置によれば、箱体１の天井隅部に監視室１ｂを設け、高感度カメラ５を配置して箱体１の下部から上部までを観測するようにしているので、部分放電に伴って発生する放電光を検出することができ、発生場所を容易に特定することができる。
【実施例２】
【００１４】
次に、本発明の実施例２に係るガス絶縁機器の絶縁劣化診断装置を図２を参照して説明する。図２は、本発明の実施例２に係るガス絶縁機器の絶縁劣化診断装置の構成を示す側面図である。なお、この実施例２が実施例１と異なる点は、背面に高感度カメラを配置したことである。図２において、実施例１と同様の構成部分においては、同一符号を付し、その詳細な説明を省略する。
【００１５】
図２に示すように、箱体１の背面には、断面コ字状のカバー６を固定し、天井面から床面までの監視室１ｂを設けている。主回路室１ａとは、透明板から構成される平面監視窓７で仕切られ、気密が保たれている。監視室１ｂには、図示しないレールを上下方向、左右方向に設け、このレール上を移動自在に移動する高感度カメラ５が設けられている。
【００１６】
上記実施例２のガス絶縁機器の絶縁劣化診断装置によれば、実施例１と同様の効果を得ることができる。
【００１７】
上記実施例２では、箱体１の背面に監視室１ｂを設けて説明したが、天井面、側面、床面などに監視室１ｂを設けることができる。これらの面をまとめて、箱体１の所定面と称する。
【実施例３】
【００１８】
次に、本発明の実施例３に係るガス絶縁機器の絶縁劣化診断装置を図３を参照して説明する。図３は、本発明の実施例３に係るガス絶縁機器の絶縁劣化診断装置の構成を示す側面図である。なお、この実施例３が実施例２と異なる点は、箱体の内面に蛍光膜を設けたことである。図３において、実施例２と同様の構成部分においては、同一符号を付し、その詳細な説明を省略する。
【００１９】
図３に示すように、主回路室１ａの内面には、バリウム、ストロンチウムなどの硫化物を用い蛍光塗料を塗布した蛍光膜８を設けている。なお、平面監視窓７の面は除く。
【００２０】
上記実施例３のガス絶縁機器の絶縁劣化診断装置によれば、実施例２による効果のほかに、放電光により蛍光膜８が発光し、高感度カメラ５で観測し難い収納機器４の裏側などの絶縁劣化を検出することができる。
【００２１】
以上述べたような実施形態によれば、絶縁劣化に伴って発生する放電光を移動自在の高感度カメラで観測するようにしているので、絶縁劣化部位を容易に特定することができ、絶縁事故を未然に防止することができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体
１ａ  主回路室
１ｂ  監視室
２  球面監視窓
３、６  カバー
４  収納機器
５  高感度カメラ
７  平面監視窓
８  蛍光膜
【図１】
2014071048.tif 000003
【図２】
2014071048.tif 000004
【図３】
2014071048.tif 000005